(57)【要約】【課題】記憶媒体に記憶されたコンテンツの再生時間が限定される場合でも、再生速度を変更することなく、全てのコンテンツを再生することを可能にする。【解決手段】コンテンツを保持する記憶媒体３０と、コンテンツの再生を終了させる終了時間を決定する条件検出部１０１と、コンテンツを再生した場合に再生が終了する終了予定時間と終了時間とを比較し、終了予定時間が終了時間より遅い場合に、コンテンツの再生区間を決定する比較部１０２と、比較部１０２により決定された再生区間に基づいてコンテンツを再生する再生部４０を有する構成としている。【選択図】図１
2008292740.tif 000002
【特許請求の範囲】
【請求項１】
コンテンツの再生を終了させる終了時間を決定する終了時間決定部と、
前記コンテンツを再生した場合に前記再生が終了する終了予定時間と、前記終了時間とを比較する比較部と、
前記終了予定時間が前記終了時間より遅い場合に、前記コンテンツの再生区間を決定する再生区間決定部と、
を有する再生区間編集装置。
【請求項２】
請求項１に記載の再生区間編集装置であって、
前記再生区間決定部は、前記コンテンツに関連付けられたコンテンツ情報に基づいて、コンテンツ毎の再生時間を決定する再生区間編集装置。
【請求項３】
請求項２に記載の再生区間編集装置であって、
前記再生区間決定部は、前記コンテンツ情報に含まれる前記コンテンツの再生区間を示す再生区間情報に基づいて、前記再生区間を決定する再生区間編集装置。
【請求項４】
請求項３に記載の再生区間編集装置であって、
前記再生区間決定部は、前記再生区間を決定するための区間優先度に基づいて、所定の区間を前記再生区間から除外する再生区間編集装置。
【請求項５】
請求項１ないし４のいずれかに記載の再生区間編集装置であって、
前記終了時間決定部は、バッテリの残量に基づいて前記終了時間を決定する再生区間編集装置。
【請求項６】
請求項１ないし４のいずれかに記載の再生区間編集装置であって、
当該再生区間編集装置における所定の処理を開始するための処理開始時間を記録する処理情報記録部を有し、
前記終了時間決定部は、前記処理開始時間を前記終了時間とする再生区間編集装置。
【請求項７】
請求項１ないし６のいずれか１項に記載の再生区間編集装置であって、更に、
前記終了時間決定部による決定処理を開始させるためのトリガを検出するトリガ検出部を有し、
前記終了時間決定部は、前記再生区間決定部による前記再生区間の決定後に前記トリガ検出部によって前記トリガを検出した場合、前記終了時間を再度決定し、
前記再生区間決定部は、前記終了時間が変更された場合、前記コンテンツの再生区間を再度決定する再生区間編集装置。
【請求項８】
請求項１ないし７のいずれか１項に記載の再生区間編集装置であって、
コンテンツを保持するための記録媒体を備えた再生区間編集装置。
【請求項９】
請求項１ないし７のいずれか１項に記載の再生区間編集装置であって、
前記再生区間決定部により決定された再生区間に基づいて前記コンテンツを再生する再生部とを備えた、再生区間編集装置。
【請求項１０】
請求項１ないし９のいずれかに記載の再生区間編集装置を備える携帯電話装置。
【請求項１１】
コンテンツの再生区間を編集する再生区間編集装置において、
コンテンツの再生を終了させる終了時間を決定するステップと、
前記コンテンツを再生した場合に前記再生が終了する終了予定時間と、前記終了時間とを比較するステップと、
前記終了予定時間が前記終了時間より遅い場合に、前記コンテンツの再生区間を決定するステップと、
を有する再生区間編集方法。
【発明の詳細な説明】
【技術分野】
【０００１】
本発明は、記憶媒体に記憶されたコンテンツの再生時間がバッテリの残量等によって限定される場合に、コンテンツの再生区間を編集する再生区間編集装置、携帯電話装置および再生区間編集方法に関する。
【背景技術】
【０００２】
オーディオプレーヤや携帯電話等、記憶媒体に記憶された音楽データ等のコンテンツを再生する再生装置は、乾電池や充電池などのバッテリから給電を受けて動作する。これらの再生装置では、バッテリの残量低下等によってコンテンツの再生可能時間が限定されると、すべてのコンテンツを再生できないことがあった。ここで、すべてのコンテンツとは、記憶媒体に記憶された全てのコンテンツ、または特定のプレイリスト（連続再生するコンテンツの一覧）に登録されている全てのコンテンツのいずれかを意味する。
【０００３】
これを解決するため、バッテリの残量が所定のしきい値以下になると、サビ部分以外の区間の再生速度を通常時よりも遅くすることで使用者にバッテリの残量が少ないことを報知し、バッテリの交換もしくは充電を促すことが知られている（例えば、特許文献１参照）。
【０００４】
また、バッテリの残量低下に伴う限られた再生時間内で適切な楽曲データを選択して再生することが知られている（例えば、特許文献２参照）。
【０００５】
更に、バッテリの残量に応じて装置が動作可能な時間を予測し、予測した時間内に映像や音声データの再生を完了するように無音部分をカットしたり、再生速度を所定の速度より高速にすることで、記録媒体に記録された映像や音声をすべて視聴できるようにすることが知られている（例えば、特許文献３参照）。
【０００６】
【特許文献１】特開２００６−２１１８０７号公報
【特許文献２】特開２００３−２９７０６２号公報
【特許文献３】特開２００５−２３５３４３号公報
【発明の開示】
【発明が解決しようとする課題】
【０００７】
しかしながら、上記した特許文献１に記載の例は、バッテリの残量が少なくなった際に、再生速度を遅くする音響効果によって使用者にバッテリの残量が少ないことを報知するものであって、バッテリの残量に伴う限られた時間内で全てのコンテンツを再生するというものではなかった。
【０００８】
また、特許文献２に記載の例では、バッテリの残量に伴う限られた時間内で再生可能な楽曲データファイルを選択するものであって、全てのコンテンツを再生するというものではなかった。また、コンテンツのどの部分を再生するかを編集して再生するものではなかった。
【０００９】
更に、特許文献３に記載した例は、バッテリの残量に対応して映像や音声データの再生速度を変更するもので、すべてのコンテンツを再生できるとはいえ、視聴に際して自然性が損なわれることがあった。
【００１０】
本発明は、上記事情に鑑みてなされたものであって、記憶媒体に記憶されたコンテンツの再生時間が限定される場合に、再生速度を変更することなく、全てのコンテンツを再生することのできる再生区間編集装置、携帯電話装置、および再生区間編集方法を提供することを目的とする。
【課題を解決するための手段】
【００１１】
上記目的を達成するために、本発明の第１の再生区間編集装置は、コンテンツの再生を終了させる終了時間を決定する終了時間決定部と、前記コンテンツを再生した場合に前記再生が終了する終了予定時間と、前記終了時間とを比較する比較部と、前記終了予定時間が前記終了時間より遅い場合に、前記コンテンツの再生区間を決定する再生区間決定部と、を有する構成としている。
【００１２】
この構成により、コンテンツの再生時間が限定される際に、限られた時間に応じてコンテンツ毎に再生区間を決定し、決定した再生区間を再生するので、再生速度を変更することなく、全てのコンテンツを再生するための再生区間の決定が可能である。
【００１３】
また、本発明の第２の再生区間編集装置は、前記再生区間決定部が、前記コンテンツに関連付けられたコンテンツ情報に基づいて、コンテンツ毎の再生時間を決定する構成としている。
【００１４】
この構成により、例えばコンテンツ毎のお気に入り度や再生頻度等によって１コンテンツあたりの再生時間を決めるため、ユーザの趣向を反映したコンテンツ再生が可能となる。
【００１５】
また、本発明の第３の再生区間編集装置は、前記再生区間決定部が、前記コンテンツ情報に含まれる前記コンテンツの再生区間を示す再生区間情報に基づいて、前記再生区間を決定する構成としている。
【００１６】
この構成により、例えばコンテンツに含まれるサビ情報等を利用して再生区間を決定し、コンテンツ毎に決定した再生区間を再生するので、再生速度を変更することなく、全てのコンテンツを再生することができる。
【００１７】
また、本発明の第４の再生区間編集装置は、前記再生区間決定部は、前記再生区間を決定するための区間優先度に基づいて、所定の区間を前記再生区間から除外する構成としている。
【００１８】
この構成により、例えばコンテンツ毎のお気に入り度や再生頻度等に基づいた優先度を参照し、優先度の低いコンテンツの区間は再生を行わずにスキップを行うため、ユーザの趣向を反映したコンテンツの再生を行うことが可能となる。
【００１９】
また、本発明の第５の再生区間編集装置は、前記終了時間決定部が、バッテリの残量に基づいて前記終了時間を決定する構成としている。
【００２０】
この構成により、バッテリの残量低下に伴って記憶媒体に記憶されたコンテンツの再生時間が限定される際に、限定された時間に応じてコンテンツ毎に再生区間を決定し、決定した再生区間を再生するので、再生速度を変更することなく、全てのコンテンツを再生することができる。
【００２１】
また、本発明の第６の再生区間編集装置は、当該再生区間編集装置における所定の処理を開始するための処理開始時間を記録する処理情報記録部を有し、前記終了時間決定部が、前記処理開始時間を前記終了時間とする構成としている。
【００２２】
この構成により、バッテリの残量低下以外の要因で記憶媒体に記憶されたコンテンツの再生可能時間が制限される場合、例えば、ＤＴＶ（デジタルテレビ）端末等において視聴予約が設定されていて、視聴開始時刻までにコンテンツの再生を完了させなければならない場合等に、制限された時間に応じてコンテンツ毎に再生区間を決定し、決定した再生区間を再生するので、再生速度を変更することなく、全てのコンテンツを再生することができる。
【００２３】
また、本発明の第７の再生区間編集装置は、前記終了時間決定部による決定処理を開始させるためのトリガを検出するトリガ検出部を有し、前記終了時間決定部が、前記再生区間決定部による前記再生区間の決定後に前記トリガ検出部によって前記トリガを検出した場合、前記終了時間を再度決定し、前記再生区間決定部が、前記終了時間が変更された場合、前記コンテンツの再生区間を再度決定する構成としている。
【００２４】
この構成により、一度再生区間を決定した後であっても、例えば装置の状態やユーザ操作に基づいて再生区間を再び編集し直すことが可能となり、装置の最新状況を反映した再生区間を決定することができる。
【００２５】
また、本発明の第８の再生区間編集装置は、コンテンツを保持するための記録媒体を備えた構成としている。
【００２６】
この構成により、記憶媒体に記憶されたコンテンツの再生時間が限られる際に、限られた時間に応じてコンテンツ毎に再生区間を決定することが可能である。
【００２７】
また、本発明の第９の再生区間編集装置は、前記再生区間決定部により決定された再生区間に基づいて前記コンテンツを再生する再生部とを備えた構成としている。
【００２８】
この構成により、コンテンツの再生時間が限られる際に、限られた時間に応じてコンテンツ毎に再生区間を決定し、再生速度を変更することなく全てのコンテンツの再生を行うことが可能である。
【００２９】
また、本発明の第１の携帯電話装置は、上記の再生区間編集装置を備えるものである。
【００３０】
この構成により、バッテリの残量低下等によって、記憶媒体に記憶されたコンテンツの再生時間が限定される際に、限られた時間に応じてコンテンツ毎に再生区間を決定し、コンテンツの決定した再生区間を再生するので、再生速度を変更することなく、全てのコンテンツを再生することができる。
【００３１】
また、本発明の第１の再生区間編集方法は、コンテンツの再生区間を編集する再生区間編集装置において、コンテンツの再生を終了させる終了時間を決定するステップと、前記コンテンツを再生した場合に、前記再生が終了する終了予定時間と前記終了時間を比較するステップと、前記終了予定時間が前記終了時間より遅い場合に、前記コンテンツの再生区間を決定するステップと、を有する方法としている。
【００３２】
この方法により、バッテリの残量低下等によって、記憶媒体に記憶されたコンテンツの再生時間が限定される際に、限られた時間に応じてコンテンツ毎に再生区間を決定し、コンテンツの決定した再生区間を再生するので、再生速度を変更することなく、全てのコンテンツを再生することができる。
【発明の効果】
【００３３】
本発明によれば、記憶媒体に記憶されたコンテンツの再生時間が限定される場合に、再生速度を変更することなく、全てのコンテンツを再生することのできる再生区間編集装置、携帯電話装置および再生区間編集方法を提供できる。
【発明を実施するための最良の形態】
【００３４】
以下、本発明の実施形態における再生区間編集装置について、図面を用いて説明する。尚、本発明の実施形態では、携帯電話における再生区間編集装置を例示する。
【００３５】
図１は、本発明の実施形態に係る再生区間編集装置の構成の一例を示す図である。図１において、携帯電話１は、再生区間編集装置１０、バッテリ２０、記憶媒体３０、および再生部４０を有する構成である。再生区間編集装置１０は、条件検出部１０１、比較部１０２、データ読み出し部１０３、再生制御部１０４を有する構成である。尚、再生区間編集装置１０が、バッテリ２０、記憶媒体３０、再生部４０を有する構成としてもよい。尚、携帯電話１は「携帯電話装置」の一例である。また、記憶媒体３０は「コンテンツ保持部」としての機能を有する。
【００３６】
条件検出部１０１は、比較部１０２からのリクエストに応じて、バッテリ２０の残量の検出や後述するＤＴＶの視聴予約の確認等を行い、検出したバッテリ残量や確認した視聴予約に対応するコンテンツの再生可能時間を算出して、比較部１０２に通知する。ＤＴＶの視聴予約の状況は、例えば記憶媒体３０に保存してある視聴予約テーブルを参照することにより確認する。ＤＴＶの視聴予約がされている場合には、現在から視聴開始時刻までの時間をコンテンツの再生可能時間とすることができる。尚、条件検出部１０１は「終了時間決定部」としての機能を有する。なお、ＤＴＶの視聴予約に限らず、装置の映像出力部もしくは音声出力部が、ある時間帯に占有されることが分かる場合において、本技術は有効である。
【００３７】
データ読み出し部１０３は、半導体メモリ等の記憶媒体３０に記憶されている音楽や映像等のコンテンツデータを読み出し、比較部１０２に通知する。
【００３８】
比較部１０２は、後述するトリガの発生に基づいて、条件検出部１０１にバッテリ２０の残量検出等とコンテンツ再生可能時間の算出をリクエストするとともに、条件検出部１０１から通知された再生可能時間と、各コンテンツデータから得られる再生時間の合計、すなわち全てのコンテンツ再生に要する時間とを比較する。そして、再生可能時間が全コンテンツの再生に要する時間より短い場合に、コンテンツ毎に再生区間を決定して再生区間情報を再生制御部１０４に通知する。尚、比較部１０２は「再生区間決定部」および「トリガ検出部」としての機能を有する。
【００３９】
再生制御部１０４は、比較部１０２から送られた再生区間情報に基づいて、再生部４０におけるコンテンツの再生を制御する。
【００４０】
次に、以上のように構成された再生区間編集装置１０の動作について説明する。図２は、再生区間編集装置１０の動作手順の一例を説明するためのフローチャートである。
【００４１】
まず、ステップＳ１０１において、比較部１０２は、後述するトリガの発生を検出すると、条件検出部１０１にバッテリ２０の残量の検出やＤＴＶの視聴予約の確認等とコンテンツ再生可能時間の算出とをリクエストする。
【００４２】
上記のトリガは、再生部４０の起動、トリック再生（早送り、巻き戻し）やプレイリストの変更、曲順の組み換え、視聴予約の追加、再生モード（シャッフル再生、リピート再生）の変更、再生音量の変更、エフェクト変更等のユーザアクションがあった時、メール送受信後や終話時により別のプログラムが実行されることで再生可能時間が短くなった時、バッテリ充電ケーブルが挿抜された時、イヤホンの挿抜によって再生可能時間に変更が生じた時、ＢｌｕｅＴｏｏｔｈ（登録商標）との切り替え時等に発生するものである。Ｂｌｕｅｔｏｏｔｈとの切り替え時とは、例えば、携帯電話１とＢｌｕｅｔｏｏｔｈ（登録商標）対応機器（図示せず）との間における再生出力先切替時などである。
【００４３】
条件検出部１０１は、比較部１０２のリクエストに基づいてバッテリ３０の残量の測定やＤＴＶの視聴予約の確認を行い（ステップＳ１０２）、測定したバッテリの残量や確認した視聴開始時間から残り再生可能時間を算出して比較部１０２に通知する（ステップＳ１０３）。
【００４４】
データ読み出し部１０３は、比較部１０２のリクエストに基づいて記憶媒体３０に記憶されており、現在のプレイリストに含まれる全てのコンテンツの再生時間、コンテンツ制作者、もしくはユーザが設定した再生区間情報、サビ情報、お気に入り度、再生頻度等のコンテンツ情報を読み込んで、比較部１０２に通知する（ステップＳ１０４）。ここでは、現在のプレイリストとは、現在再生中のプレイリストや現在選択中のプレイリストを指すものである。尚、お気に入り度や着信設定は、コンテンツとともにサーバなどから取得してもよいし、図示しない入力部により、ユーザが設定するようにしてもよい。
【００４５】
比較部１０２は、データ読み出し部１０３から取得したコンテンツ情報に含まれるコンテンツ再生時間と、ステップＳ１０３において算出された残り再生可能時間を比較し、残り再生可能時間内で現在のプレイリストに含まれるコンテンツを全て再生することが可能か否かを判定する（ステップＳ１０５）。
【００４６】
そして、全てのコンテンツを再生できないと判定した場合は、比較部１０２は、１曲毎の再生可能時間を求める（ステップＳ１０６）。各曲に割り当てられる時間はそれぞれ同じであってもよいが、１曲毎にお気に入り度や再生頻度が違うなどの情報が記憶媒体３０から取得されていれば、お気に入り度が高い楽曲を長く再生するなど、曲によって傾斜をつけることができる。
【００４７】
曲によって傾斜をつけるとは、例えば、お気に入り度が高い楽曲や再生頻度の高い楽曲の優先度が高くなるように重み付けを行うことが考えられる。重み付けを行った結果、優先度の低い楽曲はプレイリストから削除するようにしてもよい。
【００４８】
そして、比較部１０２は、求めた曲毎の再生可能時間からダイジェスト再生の区間を決定する（ステップＳ１０７）。
【００４９】
ダイジェスト再生を行う区間は、例えば、データ読み出し部１０３から送られるコンテンツ情報に再生区間情報（着信設定情報など）が含まれている場合は、その区間が優先して決定される。このとき、再生区間情報が複数ある場合は、例えば、全ての組み合わせパターンでの時間を算出し、その中で最適な区間を選択する。
【００５０】
コンテンツ情報に含まれる再生区間情報は、着うた（登録商標）のデータ内に予め入っている再生区間やサビ区間などの情報であり、これを利用して再生区間が決定される。
【００５１】
このサビ情報は携帯電話１でその都度求めてもよいが、例えば、ＰＣ上で動作する楽曲管理ソフトなどでサビ検出を行い、コンテンツにサビ情報を付随して記録しておくことで、必要なときに読み出してもよい。更に、サビ情報を記録しておくのではなく、必要時にサビ区間を算出する場合は、適当な区間がサビ区間となるようにサビ区間を求めるための閾値を調整する等の操作を行うようにしてもよい。この閾値調整は段階的であってもよい。例えば、サビ区間の優先度がサビ以外の区間の優先度よりも高くなるようにすることで、再生区間として選択されやすいようにすることができる。
【００５２】
また、楽曲の特徴量を抽出することで、楽曲が転調する区間やテンポ、ベースライン、ドラムパターンに変化が生じる区間、楽器数が変わる区間、などを検出し、再生区間を決定することもできる。例えば、楽曲の特徴量から盛り上がりのある区間であると比較部１０２が判断した場合に、該当区間の優先度をそれ以外の区間の優先度よりも高くなるようにすることで、再生区間として選択されやすいようにすることができる。
【００５３】
また、コンテンツのお気に入り度や再生頻度によって、一旦決定した再生区間の時間を変化させることも可能である。例えば、お気に入り度が高い区間や再生頻度の高い区間を優先度の高い区間、お気に入り度の低い区間（例えば、お気に入り区間に登録されていない区間など）や再生頻度の低い区間を優先度の低い区間とすることで、再生区間として選択されやすいようにすることができる。
【００５４】
図３（ａ）は、このようにして決定されたダイジェスト再生区間の一例を示す模式図である。同図において、全てのコンテンツが曲Ａと曲Ｂであった場合に、それぞれのサビ部分ｐ、ｓと、コンテンツ会社から提供された着信設定情報から得られた曲部分ｑ、ｔと、曲間の無音部分ｒを再生区間として決定したものである。これにより、再生速度を変更することなく、曲Ａ及び曲Ｂを再生することができる。尚、着信設定情報とは、コンテンツの提供時に用意されているものであり、例えばサビ情報などが時間情報（３：００−４：００がサビである、など）として含まれている。
【００５５】
図３（ｂ）は、ステップＳ１０１におけるトリガ発生が、携帯電話１の他の機能、例えばトリック再生によって起こり、その結果バッテリ残量に変化が生じた場合に、ダイジェスト再生を行う区間を変更する例を示す模式図である。同図において、図３（ａ）における曲Ｂのスキップ区間に加え、サビ部分ｓもスキップするように再生区間を変更したものである。これにより、ダイジェスト再生中に別の機能が動作することによってバッテリ残量に変化が生じた場合でも、全てのコンテンツである曲Ａと曲Ｂを再生することができる。
【００５６】
このようにして決定されたダイジェスト再生区間は、比較部１０２によって再生区間情報として再生制御部１０４に通知される。
【００５７】
続くステップＳ１０８では、条件検出部１０１がバッテリ２０が充電中であるか否かを判定する。その結果、バッテリ２０が充電中でない場合、再生制御部１０４は比較部１０２から送られた再生区間情報に基づいて、再生部４０におけるコンテンツの再生を制御する（ステップＳ１０９）。このとき、再生制御部１０４は、再生区間のつなぎ目をフェードイン、フェードアウトするように再生部４０を制御してもよい。
【００５８】
再生部４０は、バッテリ２０の残量等に伴う限られた時間内で、再生制御部１０４の制御の下に全てのコンテンツのダイジェスト再生を行い（ステップＳ１１０）、処理を終了する。
【００５９】
一方、ステップＳ１０５において、残り再生可能時間内で現在のコンテンツを全て再生することができると判定された場合、及び、ステップＳ１０８でバッテリ２０が充電中であると判定された場合は、ステップＳ１１１の手順にスキップし、通常の速度で全ての区間のコンテンツを再生し（ステップＳ１１１）、処理を終了する。
【００６０】
このような再生区間編集装置１０によれば、バッテリの残量等から再生可能時間を算出し、これを記憶媒体３０に記憶されたコンテンツを再生するのに要する時間と比較して再生可能か否かを判定する。そして、全コンテンツが通常の速度で再生できないと判定された場合は、コンテンツ毎に再生可能時間を求めてダイジェスト再生区間を決定し、決定したダイジェスト再生区間を再生する。これにより、バッテリの残量等に応じたコンテンツの再生可能時間内で、再生速度を変更することなく、全てのコンテンツを再生することができる。
【００６１】
したがって、例えば、再生部４０がまだ起動されていない場合には、再生部４０を起動するというトリガより、バッテリの残量が少ないことやＤＴＶ端末等で視聴予約が設定されていることから再生可能時間を算出し、ダイジェスト再生区間を決定することができる。
【００６２】
また、例えば、再生部４０がすでに起動されている場合には、その他のトリガ（上記したユーザアクションなど）により、バッテリの残量が少ないことやＤＴＶ端末等で視聴予約が設定されていることから再生可能時間を算出し、ダイジェスト再生区間を決定することができる。
【００６３】
さらに、図２の処理により一度ダイジェスト再生区間が決定され、曲の再生が開始された後であっても、新たに比較部１０２が上記トリガの発生を検出した場合には、条件検出部１０１がコンテンツの再生可能時間を算出し、比較部１０２がダイジェスト再生区間を再度変更するため、携帯電話１の最新の状況を反映したコンテンツ再生を行うことが可能となる。
【００６４】
なお、本実施形態では、携帯電話１における音楽データのコンテンツについて言及したが、これに限られるものではなく、ＤＴＶ（デジタルテレビ）端末等における映像コンテンツについても同様に本実施形態を適用可能である。この場合のダイジェスト再生区間は、例えば、盛り上がりシーン、ＣＭ区間、コンテンツに付与もしくは関連付けされたチャプター情報などを検出して決定することができる。
【産業上の利用可能性】
【００６５】
本発明は、コンテンツの再生時間が限定される場合に、再生速度を変更することなく、全てのコンテンツを再生することができる効果を有し、再生区間編集装置、オーディオプレーヤ、携帯電話装置等に有用である。
【図面の簡単な説明】
【００６６】
【図１】本発明の実施形態に係る再生区間編集装置の構成の一例を示す図
【図２】本発明の実施形態に係る再生区間編集装置の動作手順の一例を説明するためのフローチャート
【図３】（ａ）本発明の実施形態に係る再生区間編集装置の再生区間決定方法の一例を示す模式図  （ｂ）本発明の実施形態に係る再生区間編集装置において、決定した再生区間を変更する方法の一例を示す模式図
【符号の説明】
【００６７】
１  携帯電話
１０  再生区間編集装置
１０１  条件検出部
１０２  比較部
１０３  データ読み出し部
１０４  再生制御部
２０  バッテリ
３０  記憶媒体
４０  再生部
【図１】
2008292740.tif 000003
【図２】
2008292740.tif 000004
【図３】
2008292740.tif 000005